(57)【要約】【課題】非常用電源の駆動時間を大幅に伸ばすことが可能な表示装置を提供する。【解決手段】常時には商用電源ＡＣからの給電により機能し、非常時には非常用電源Ｖｄｃからの給電により機能する表示装置であって、商用電源ＡＣの停電を検出する停電検出手段５を備え、前記停電検出手段５からの停電検出信号を受けて、全表示画面のうち一部の領域のみを表示するように切替える手段（Ｑ１，Ｑ２，Ｄ１）を備えた。前記非常用電源Ｖｄｃはバッテリーであって、前記商用電源ＡＣと前記バッテリーとを前記停電検出手段５からの検出信号を受けて切替える。【選択図】図１
2010117682.tif 000002
【特許請求の範囲】
【請求項１】
常時には商用電源からの給電により機能し、非常時には非常用電源からの給電により機能する表示装置であって、商用電源の停電を検出する停電検出手段を備え、前記停電検出手段からの停電検出信号を受けて、全表示画面のうち一部の領域のみを表示するように切替える手段を備えたことを特徴とする表示装置。
【請求項２】
請求項１において、前記非常用電源はバッテリーであって、前記商用電源と前記バッテリーとを前記停電検出手段からの検出信号を受けて切替えることを特徴とする表示装置。
【請求項３】
請求項１又は２において、外部から非常信号を受信する非常信号受信部を備え、前記停電検出手段にて停電を検出し、且つ前記非常信号受信部にて非常信号を受信した場合に、前記表示画面の一部の領域に非常信号の情報に対応した表示を行うことを特徴とする表示装置。
【請求項４】
請求項１〜３のいずれかにおいて、前記停電検出手段は、前記非常用電源からの信号を受けて停電を検出することを特徴とする表示装置。
【請求項５】
請求項１〜４のいずれかにおいて、複数の光源からなるバックライトを備え、前記複数の光源は、前記表示画面の一部の領域のみを照射する第一の光源グループとそれ以外の領域を照射する第二の光源グループに分けられ、前記光源グループは各々に点灯装置を備え、前記停電検出手段にて停電を検出した場合には、前記第一の光源グループの点灯装置のみが前記非常用電源からの給電を受けて前記第一の光源グループを点灯させることを特徴とする表示装置。
【請求項６】
請求項５において、液晶パネルと、前記複数の光源のうち第一の光源グループが照射する領域の液晶パネルを駆動する第一の液晶パネルドライバと、第二の光源グループが照射する領域の液晶パネルを駆動する第二の液晶パネルドライバとを備え、前記停電検出手段にて停電を検出した場合には、前記第一の液晶パネルドライバのみが前記非常用電源からの給電を受けて動作することを特徴とする表示装置。
【請求項７】
請求項５又は６において、前記停電検出手段にて停電を検出した場合には、前記第一の光源グループは、臨界フリッカ周波数の周期以上で点滅点灯することを特徴とする表示装置。
【請求項８】
請求項５〜７のいずれかにおいて、前記バックライトの光源は放電灯または発光ダイオードであり、それらを用いて構成される直下方式のバックライトユニットを備えたことを特徴とする表示装置。
【請求項９】
請求項５〜７のいずれかにおいて、前記バックライトの光源は放電灯または発光ダイオードであり、それらを用いて構成されるサイドライト方式のバックライトユニットを備えたことを特徴とする表示装置。
【発明の詳細な説明】
【技術分野】
【０００１】
本発明は、常時には商用電源で、非常時には非常用電源で動作する表示装置に関するものである。
【背景技術】
【０００２】
近年、デジタル放送に対応した液晶テレビやプラズマテレビなどの普及が一般家庭を中心に急速に進んでいる。さらに、一般家庭だけでなく、画面サイズが４０インチを超える大型のものが駅や空港、ショッピングモールなど公共の施設にインフォメーション用のディスプレーとして普及が進んでいる。インフォメーション用のディスプレーは、主に広告や宣伝を表示するものであるが、デジタル放送信号を受信してテレビとして機能させることもできる。また、インフォメーション用のディスプレーは、主に多くの人が集まる公共の場に設置されるため、非常時における混乱や不安を解消するために、非常時の照明、誘導灯としての機能も担うことが望まれる。
【０００３】
通常、インフォメーション用のディスプレーは、商用電源からの給電によって動作しているが、非常時においても機能させるためには非常用電源からの給電により動作させる必要がある。非常用電源はバッテリーが一般的であり、内蔵方式や別置方式がある。また、一部では外部に無停電電源を備えている場合や、発電システムを備えている場合もある。いずれにせよ、非常時の限られた電源である非常用電源を使用し、非常時における照明機能、誘導灯としての機能をなるべく長時間継続させるためには、消費電力を極力抑えて駆動時間を大幅に伸ばすことが課題となる。また、非常時の消費電力を抑えることは非常用電源の小型化に繋がる。
【０００４】
前記のような課題を解決するために、非常用に使用されるものではないが、バッテリーでの駆動時間を伸ばすことができる表示装置が特許文献１（特開２００５−２１０７０７号公報）に開示されている。特許文献１の表示装置は、放送内容検出部と、前記放送内容検出部で検出したＣＭ情報に基づいてバックライト輝度、液晶駆動の空間解像度、または時間解像度の少なくともいずれか一つを制御する表示制御部とを備え、前記表示制御部はＣＭ情報に基づいてバックライトの輝度、または液晶パネルの液晶駆動を制御して消費電力を低減し、バッテリーの駆動時間を伸ばすものである。特許文献１の実施形態としては、ＣＭ時に表示画面を小画面表示にし、小画面に合わせたバックライトの部分点灯を併用することにより消費電力を低減する形態が開示されている。
【特許文献１】特開２００５−２１０７０７号公報
【発明の開示】
【発明が解決しようとする課題】
【０００５】
しかしながら、特許文献１の表示装置は、バックライトが部分点灯することで省電力効果を生み出しているが、液晶パネルを一つの液晶駆動回路で駆動しているため、液晶パネルは全体として動作することになり、映像を表示しない箇所でも黒表示が出るように液晶駆動回路によって制御されている。したがって、特許文献１の表示装置は、映像を表示しない箇所においても液晶パネルを駆動する必要があり、その分の消費電力が必要になる。また、特許文献１のバックライトは、インバータへ入力されるＰＷＭ信号により調光制御されている。例えば、バックライトを消灯する場合も、ＰＷＭ信号としてＤｕｔｙ：０％の信号をインバータに入力して消灯制御を行う必要がある。つまり、特許文献１の表示装置は、放電ランプを消灯する場合でも、インバータの制御部においては、消灯制御のための制御電力を必要とする。
【０００６】
以上のように、特許文献１の表示装置においては、映像を表示しない箇所の液晶パネルを駆動するための電力、及び消灯しているバックライトのインバータ制御のための電力が必要になる課題がある。特にインフォメーション用など大型の表示装置においては、これらの消費電力は非常用電源の駆動時間を短縮する要因となり得る。
【０００７】
本発明は上述の点に鑑みてなされたものであり、非常用電源の駆動時間を大幅に伸ばすことが可能な表示装置を提供することを課題とする。
【課題を解決するための手段】
【０００８】
上記の課題を解決するために、請求項１の発明は、図１に示すように、常時には商用電源ＡＣからの給電により機能し、非常時には非常用電源Ｖｄｃからの給電により機能する表示装置であって、商用電源ＡＣの停電を検出する停電検出手段５を備え、前記停電検出手段５からの停電検出信号を受けて、全表示画面のうち一部の領域のみを表示するように切替える手段（Ｑ１，Ｑ２，Ｄ１）を備えたことを特徴とするものである。
【０００９】
請求項２の発明は、請求項１の発明において、図１に示すように、前記非常用電源Ｖｄｃはバッテリーであって、前記商用電源ＡＣと前記バッテリーとを前記停電検出手段５からの検出信号を受けて切替えることを特徴とする。
【００１０】
請求項３の発明は、請求項１又は２の発明において、図８に示すように、外部から非常信号を受信する非常信号受信部２５を備え、前記停電検出手段５にて停電を検出し、且つ前記非常信号受信部２５にて非常信号を受信した場合に、前記表示画面の一部の領域に非常信号の情報に対応した表示（図９参照）を行うことを特徴とする。
【００１１】
請求項４の発明は、請求項１〜３の発明において、図１１に示すように、前記停電検出手段５ｂは、前記非常用電源（予備電源装置７ｂ）からの信号を受けて停電を検出することを特徴とする。
【００１２】
請求項５の発明は、請求項１〜４の発明において、図１に示すように、複数の光源Ｌａ１〜Ｌａ３からなるバックライトＢＬを備えた表示装置であって、前記複数の光源Ｌａ１〜Ｌａ３は、前記表示画面の一部の領域のみを照射する第一の光源グループＬａ３とそれ以外の領域を照射する第二の光源グループＬａ１，Ｌａ２に分けられ、前記光源グループＬａ１〜Ｌａ３は各々に点灯回路１〜３を備え、前記停電検出手段５にて停電を検出した場合には、図３に示すように、前記第一の光源グループＬａ３の点灯回路３のみが前記非常用電源Ｖｄｃからの給電を受けて前記第一の光源グループＬａ３を点灯させることを特徴とする。
【００１３】
請求項６の発明は、請求項５の発明において、図４に示すように、液晶パネル２０と、前記複数の光源Ｌａ１〜Ｌａ３のうち第一の光源グループＬａ３が照射する領域の液晶パネルを駆動する第一の液晶パネルドライバ２４と、第二の光源グループＬａ１，Ｌａ２が照射する領域の液晶パネルを駆動する第二の液晶パネルドライバ２３とを備え、前記停電検出手段５にて停電を検出した場合には、前記第一の液晶パネルドライバ２４のみが前記非常用電源Ｖｄｃからの給電を受けて動作することを特徴とする。
【００１４】
請求項７の発明は、請求項５又は６の発明において、前記停電検出手段５にて停電を検出した場合には、前記第一の光源グループＬａ３は、臨界フリッカ周波数の周期以上で点滅点灯することを特徴とする。ここで、臨界フリッカ周波数とは、人間が点滅を感知できなくなる限界の周波数のことである。
【００１５】
請求項８の発明は、請求項５〜７の発明において、前記バックライトの光源は放電灯または発光ダイオードであり、それらを用いて構成される直下方式のバックライトユニット（図２）を備えたことを特徴とする。
【００１６】
請求項９の発明は、請求項５〜７の発明において、前記バックライトの光源は放電灯または発光ダイオードであり、それらを用いて構成されるサイドライト方式のバックライトユニット（図５）を備えたことを特徴とする。
【発明の効果】
【００１７】
請求項１の表示装置は、停電検出手段にて停電を検出し、非常用電源からの給電によって動作する場合に、全表示画面のうち一部の領域のみを表示するように切り替えるので、全表示画面に表示を行う場合に比べると、大幅に消費電力を低減できる。したがって、非常時の限られた電源である非常用電源による表示装置の駆動時間を大幅に伸ばすことが可能であり、非常用電源の小型化を実現できる。また、通常時にはテレビ、広告、宣伝用のディスプレーとして利用されている各種の表示装置を、非常時の照明、誘導灯として利用できる。
【００１８】
請求項２の表示装置は、停電検出手段からの停電検出信号を受けて、商用電源と非常用電源であるバッテリーとを切替えるので、非常時に電源の切替えをスムーズに行うことができる。
【００１９】
請求項３の表示装置は、停電検出手段にて停電を検出し、且つ非常信号受信部にて非常信号を受信した場合には、全表示画面のうち一部の表示領域に非常信号の情報に対応した表示を行うので、非常時の混乱、不安を解消すると共に、停電の原因、避難経路など非常時の有益情報を提供することができる。
【００２０】
請求項４の表示装置は、外部の非常用電源から信号を受けて、非常用電源が動作しているか否かを判別することで、容易に停電、非停電を判別することができる。
【００２１】
請求項５の表示装置は、非常時において、第二の光源グループの点灯装置は給電を受けないので、消灯のための制御に費やす電力を削減できる。
【００２２】
請求項６の表示装置は、非常時において、第二の液晶パネルドライバは給電を受けないので、第二の液晶パネルドライバ及び第二の液晶パネルドライバが駆動する液晶パネルで消費される電力を削減できる。
【００２３】
請求項７の表示装置は、第一の光源グループを人間が点滅を感じることができる臨界フリッカ周波数の周期以上で点滅点灯するので、全表示画面のうち一部の表示領域に表示される表示内容を人間が気づきやすくすることができる。
【００２４】
請求項８の表示装置は、直下方式のバックライトユニットを備えているので、バックライトからの光の取り出し効率が高い。
【００２５】
請求項９の表示装置は、サイドライト方式のバックライトを備えているので、少数のバックライトで表示装置を構成することができ、低コストである。
【発明を実施するための最良の形態】
【００２６】
（実施形態１）
本発明に係る表示装置の実施形態について、液晶表示装置の例を用いて説明する。
【００２７】
まず、本実施形態の液晶表示装置の構成を図２を用いて簡単に説明する。本液晶表示装置は、液晶表示装置のバックライトＢＬであるコ字形の放電灯Ｌａ１〜Ｌａ３と、前記放電灯Ｌａ１〜Ｌａ３を収納し、例えば金属からなる前面が開放された収納ケース１１と、前記収納ケース１１の開放側の底面に配される反射板１２と、前記収納ケース１１の開放面に設置され、前記放電灯Ｌａ１〜Ｌａ３から放出される光を平均化された平行光として液晶パネル２０に供給するための光学シート類１３と、前記光学シート類１３から放出される光束をバックライトとして利用し、映像を表示する液晶パネル２０から構成される直下照明方式の液晶表示装置である。ここで、前記光学シート類１３は、例えば裏側から順に、拡散板１３ａ、拡散シート１３ｂ、レンズシート１３ｃを積層してなる。また、前記放電灯Ｌａ１〜Ｌａ３の点灯装置、及び前記液晶パネル２０のドライバについては不図示であるが、それらは一般的に前記収納ケース１１の裏側、もしくは側面側に配置される。
【００２８】
本実施形態の液晶表示装置においては、一例として前記のようにコ字管の放電灯Ｌａ１〜Ｌａ３でバックライトを構成しているが、一般的にインフォメーション用のディスプレーは４０インチを超える大型のものが主流であり、実際には４０インチの液晶表示装置では直管の冷陰極ランプ１６本前後でバックライトが構成されている。なお、冷陰極ランプ１本辺りの消費電力は、冷陰極ランプの管径や封入ガスにも依存するが、１０Ｗ前後である。
【００２９】
次に、本実施形態の液晶表示装置のシステム構成について、図１を用いて説明する。本液晶表示装置のシステムは、商用電源ＡＣの交流電圧を全波整流するダイオードブリッジＤＢと、前記ダイオードブリッジＤＢの両端に接続され全波整流された脈流電圧をリップルの少ない直流電圧に平滑する電解コンデンサＣ１と、前記電解コンデンサＣ１の両端に接続され例えば前記直流電圧を降圧するチョッパー回路４と、前記チョッパー回路４の出力電圧を入力電圧とし、放電灯Ｌａ１〜Ｌａ３を点灯させる点灯回路１〜３と、液晶パネル２０を駆動する液晶パネルドライバ２１と、外部からの映像信号に基づいた映像を液晶パネル２０に表示するために前記液晶パネルドライバ２１を制御する映像処理回路２２とから構成されている。また、前記チョッパー回路４の出力端には、前記チョッパー回路４から前記点灯回路１〜３、前記液晶パネルドライバ２１及び前記映像処理回路２２への電源電圧の供給と遮断を切替える切替手段Ｑ２が設けられている。
【００３０】
また、商用電源ＡＣに接続される非常用電源充電器６によって充電される非常用電源Ｖｄｃの出力端には、前記点灯回路３、前記液晶パネルドライバ２１、及び前記映像処理回路２２への非常用電源Ｖｄｃからの電源電圧の供給と遮断を切替える切替手段Ｑ１が設けられている。なお、前記チョッパー回路４から前記点灯回路３への電源供給ラインにダイオードＤ１が設けられているため、非常用電源Ｖｄｃから前記点灯回路１及び点灯回路２への電源供給は行われない。さらに、本液晶表示装置には、前記電解コンデンサＣ１の電圧を監視し停電を検出する停電検出手段５が設けられている。前記非常用電源充電器６及び非常用電源Ｖｄｃは液晶表示装置に内蔵されていてもよいし、液晶表示装置の外部に設置されていてもよい。
【００３１】
続いて、本実施形態の液晶表示装置の動作について、図１、図３（Ａ）〜（Ｄ）を用いて説明する。本液晶表示装置のシステムは常時と非常時で動作が異なるものであり、ここでの非常時とは少なくとも停電を伴っている状態である。
【００３２】
まず、図１を参照して、常時における本液晶表示装置のシステム動作について説明すると、停電検出手段５は、停電を検出していない状態（常時と判定している状態）であり、切替手段Ｑ２はオン、切替手段Ｑ１はオフに制御されている。つまり、常時においては、点灯回路１〜３、液晶パネルドライバ２１、及び映像処理回路２２の電源電圧は、チョッパー回路４から供給されることになる。また、常時において、液晶パネル２０には外部からの映像信号に基づいた映像が表示されている。さらに、商用電源ＡＣに接続される非常用電源充電器６によって非常用電源Ｖｄｃが充電される。
【００３３】
次に、非常時における本液晶表示装置の動作について説明する。停電検出手段５は、電解コンデンサＣ１の電圧が低下したことを検出することにより停電を検出し、切替手段Ｑ２をオフすると共に切替手段Ｑ１をオンする。つまり、非常時においては、チョッパー回路４から点灯回路１〜３、液晶パネルドライバ２１、及び映像処理回路２２への電源供給ラインを切替手段Ｑ２をオフすることにより遮断し、代わって切替手段Ｑ１をオンすることにより非常用電源充電器６によって充電されていた非常用電源Ｖｄｃから放電灯Ｌａ３を点灯するための点灯回路３、液晶パネルドライバ２１、及び映像処理回路２２へ電源電圧が供給される。この時、ダイオードＤ１の作用により、非常用電源Ｖｄｃから点灯回路１及び点灯回路２へは電源電圧は供給されない。
【００３４】
従って、停電検出手段５にて停電を検出した非常時においては、点灯回路１〜３のうち、点灯回路３のみが非常用電源Ｖｄｃからの電源供給を受けて、図３（Ａ）に示すバックライトのうち放電灯Ｌａ３のみが点灯することになるので、本液晶表示装置の表示領域は図３（Ｂ）に示すように、全表示領域のうち、直下に放電灯Ｌａ３が配置されている表示領域のみとなる。全表示領域のうち、直下に放電灯Ｌａ１、Ｌａ２が配置されている表示領域は、非表示領域となる。
【００３５】
また、映像処理回路２２は、停電検出手段５からの停電検出信号を受けて、液晶パネル（全表示領域）のうち、放電灯Ｌａ３が照射可能な領域に、外部の映像信号に基づいた表示から、非常用の表示に切替えるように液晶パネルドライバ２１を制御する。例えば、図３（Ｂ）のように表示領域に白色画面を表示して、その光束を非常照明用として利用したり、また、図３（Ｃ）のように表示領域に「停電中」などの文字表示をしたり、図３（Ｄ）のように表示領域に誘導情報を表示するように制御される。
【００３６】
以上のように、本実施形態の液晶表示装置は、常時においては商用電源ＡＣからの給電により機能し、非常時においては商用電源ＡＣから非常用電源Ｖｄｃへ切替えて給電を行い、且つバックライトＢＬの一部のみを点灯することにより全表示画面のうち一部を表示領域とするものである。
【００３７】
次に本実施形態の効果について説明する。まず、本実施形態の表示装置は、通常、テレビ、広告、宣伝用のディスプレーとして利用されている表示装置を、非常時の照明、誘導灯として利用できる。さらに、非常時においては、停電検出手段５にて停電を検出し、商用電源ＡＣから非常用電源Ｖｄｃへ給電手段が切替わるように切替手段Ｑ２をオフすると共に切替手段Ｑ１をオンし、さらにはダイオードＤ１の作用により、バックライトＢＬのうち放電灯Ｌａ３のみが点灯するように動作するので、全表示画面のうち、直下に放電灯Ｌａ３が配された液晶パネル２０の領域のみが表示領域となり、全表示画面で表示を行う場合に比べて大幅に消費電力を低減でき、非常時の限られた電源である非常用電源Ｖｄｃによる表示装置の駆動時間を大幅に伸ばすことが可能である。
【００３８】
（実施形態２）
本実施形態の液晶表示装置の構成は、実施形態１の図２と同様であるので説明を省略する。
【００３９】
次に本実施形態の液晶表示装置のシステム構成を図４に示す。本液晶表示装置のシステムは、商用電源ＡＣの交流電圧を全波整流するダイオードブリッジＤＢと、前記ダイオードブリッジＤＢの両端に接続され、全波整流された脈流電圧をリップルの少ない直流電圧に平滑する電解コンデンサＣ１と、前記電解コンデンサＣ１の両端に接続され例えば前記直流電圧を降圧するチョッパー回路４と、前記チョッパー回路４の出力電圧を入力電圧とし、放電灯Ｌａ１〜Ｌａ３を点灯させる点灯回路１〜３と、液晶パネル２０を駆動する液晶パネルドライバ２３、２４と、外部からの映像信号に基づいた映像を液晶パネル２０に表示するために前記液晶パネルドライバ２３、２４を制御する映像処理回路２２とから構成されている。ここで、液晶パネルドライバ２３は放電灯Ｌａ１，Ｌａ２の前方に配される液晶パネル領域を駆動するための液晶パネルドライバであり、液晶パネルドライバ２４は放電灯Ｌａ３の前方に配される液晶パネル領域を駆動するための液晶パネルドライバである。
【００４０】
また、前記チョッパー回路４の出力端には、前記チョッパー回路４から前記点灯回路１〜３、前記液晶パネルドライバ２３、２４及び前記映像処理回路２２への電源電圧の供給と遮断を切替える切替手段Ｑ２が設けられている。
【００４１】
一方、商用電源ＡＣに接続される非常用電源充電器６によって充電される非常用電源Ｖｄｃの出力端には、前記点灯回路３、液晶パネルドライバ２４、及び映像処理回路２２への非常用電源Ｖｄｃからの電源電圧の供給と遮断を切替える切替手段Ｑ１が設けられている。なお、チョッパー回路４から点灯回路３への電源供給ラインにダイオードＤ１が設けられているため、非常用電源Ｖｄｃから点灯回路１、点灯回路２、及び液晶パネルドライバ２３への電源供給は行われない。さらに、本液晶表示装置には、前記電解コンデンサＣ１の電圧を監視し停電を検出する停電検出手段５が設けられている。
【００４２】
続いて、本実施形態の液晶表示装置の動作について、図４、図３（Ａ），（Ｂ）を用いて説明する。まず、図４を参照して、常時における本液晶表示装置のシステム動作について説明すると、停電検出手段５は、停電を検出していない状態（常時と判定している状態）であり、切替手段Ｑ２はオン、切替手段Ｑ１はオフに制御されている。つまり、常時においては、点灯回路１〜３、液晶パネルドライバ２３、２４、及び映像処理回路２２の電源電圧は、チョッパー回路４から供給されることになる。また、常時において、液晶パネル２０には外部からの映像信号に基づいた映像が表示されている。さらに、商用電源ＡＣに接続される非常用電源充電器６によって非常用電源Ｖｄｃが充電される。
【００４３】
次に、非常時における本液晶表示装置の動作について説明すると、停電検出手段５は、電解コンデンサＣ１の電圧が低下したことを検出することにより停電を検出し、切替手段Ｑ２をオフすると共に切替手段Ｑ１をオンする。つまり、非常時においては、チョッパー回路４から点灯回路１〜３、液晶パネルドライバ２３、２４、及び映像処理回路２２への電源供給ラインを切替手段Ｑ２をオフすることにより遮断し、代わって切替手段Ｑ１をオンすることにより非常用電源充電器６によって充電されていた非常用電源Ｖｄｃから放電灯Ｌａ３を点灯するための点灯回路３、液晶パネルドライバ２４、及び映像処理回路２２へ電源電圧が供給される。この時、ダイオードＤ１の作用により、非常用電源Ｖｄｃから点灯回路１、点灯回路２、及び液晶パネルドライバ２３へは電源電圧は供給されない。
【００４４】
従って、停電検出手段５にて停電を検出した非常時においては、非常用電源Ｖｄｃからの電源供給を受けて、図３（Ａ）に示すバックライトのうち放電灯Ｌａ３のみが点灯することになる。また、本液晶表示装置の表示領域は図３（Ｂ）に示すように、全表示領域のうち、直下に放電灯Ｌａ３が配置され、さらに液晶パネルドライバ２４が駆動する液晶パネルの領域のみとなる。全表示領域のうち、直下に放電灯Ｌａ１、Ｌａ２がバックライトとして配置され、さらに液晶パネルドライバ２３が駆動する液晶パネル２０の領域は非表示領域となる。また、映像処理回路２２は、停電検出手段５からの停電検出信号を受けて、外部の映像信号に基づいた表示から、例えば表示領域に白色画面を表示するように液晶パネルドライバ２４を制御する。但し、非常時の表示については前記白色画面に限ったものではなく、図３（Ｃ），（Ｄ）のような表示としても良い。
【００４５】
以上のように、本実施形態の液晶表示装置は、非常時に消灯する放電灯Ｌａ１及びＬａ２が直下に配された液晶パネル領域を駆動する液晶パネルドライバ２３と、非常時に点灯する放電灯Ｌａ３が直下に配された液晶パネル領域を駆動する液晶パネルドライバ２４とを別々に設けた構成である。そして、非常時において、液晶パネルドライバ２３、２４のうち、放電灯Ｌａ３が直下に配された液晶パネル領域を駆動する液晶パネルドライバ２４のみが非常用電源Ｖｄｃから給電を受け、放電灯Ｌａ１及びＬａ２が直下に配された液晶パネル領域を駆動する液晶パネルドライバ２３は給電を受けない。つまり、放電灯Ｌａ１及びＬａ２が消灯している場合に、液晶パネルドライバ２３も併せて停止させることで、液晶パネルドライバ２３での消費電力、及び液晶パネルドライバ２３が駆動する液晶パネル２０での消費電力を削減できる。
【００４６】
（実施形態３）
本実施形態の液晶表示装置の構成を、図５を用いて説明する。本液晶表示装置は、例えば金属からなり、前面が開放された収納ケース（不図示）と、前記収納ケースの開放側の底面に配される反射板１２と、例えばアクリルからなり前記反射板１２の上に配され前記収納ケースに収納される導光板１４と、前記導光板１４の側面側に配されるバックライトＢＬである発光ダイオードＬＥＤ１〜ＬＥＤ６と、前記発光ダイオードＬＥＤ１〜ＬＥＤ６が実装され前記収納ケースに収納される実装基板１５と、前記導光板１４の前面に配される光学シート類１３と、前記光学シート類１３の前面に配される液晶パネル２０から構成されるサイドライト方式の液晶表示装置である。前記導光板１４は、前記発光ダイオードＬＥＤ１〜ＬＥＤ６から導光板１４内に導かれた光を全反射を利用して前面の全体が均一に光るように機能する。また、前記反射板１２は前記導光板１４の裏面に漏れた光を導光板１４の前面に反射するように機能するものである。発光ダイオードＬＥＤ１〜ＬＥＤ６の点灯装置、及び液晶パネル２０のドライバについては不図示であるが、それらは一般的に前記収納ケースの裏側、もしくは側面側に配置されることが一般的である。
【００４７】
次に、本実施形態の液晶表示装置のシステム構成を図６に示す。本液晶表示装置のシステムは、点灯回路１〜３の負荷が発光ダイオードであり、直列接続された発光ダイオードＬＥＤ１とＬＥＤ２、発光ダイオードＬＥＤ３とＬＥＤ４、発光ダイオードＬＥＤ５とＬＥＤ６をそれぞれ点灯回路１、点灯回路２、点灯回路３で点灯するが、その他は実施形態２のシステム構成図である図４と同様であるので、システム構成及び動作説明は省略する。
【００４８】
本液晶表示装置において、停電検出手段５にて停電を検出した非常時における動作を説明すると、非常用電源Ｖｄｃからの電源供給を受けて、図７（Ａ）に示すバックライトのうち、発光ダイオードＬＥＤ５とＬＥＤ６のみが点灯することになる。また、本液晶表示装置の表示領域は図７（Ｂ）に示すように全表示領域のうち、サイドライトに発光ダイオードＬＥＤ５とＬＥＤ６が配された液晶パネル領域であり、その領域の液晶パネルは非常用電源Ｖｄｃからの電源供給を受ける液晶パネルドライバ２４によって駆動される。
【００４９】
次に本実施形態の効果について説明する。本実施形態は、サイドライト方式の液晶表示装置であるので、バックライトが少数で低コストな構成を実現できる。
【００５０】
（実施形態４）
本実施形態の液晶表示装置のシステム構成図を図８に示す。本液晶表示装置のシステム構成は実施形態２のシステム構成を示す図４に加えて、外部からの非常信号を受信するための非常信号受信部２５が搭載されている。ここで、外部からの非常信号とは、具体的には大地震、火災などの災害を知らせるための信号である。
【００５１】
まず、図８を参照して、常時における本液晶表示装置の動作について説明すると、停電検出手段５は、停電を検出していない状態（常時と判定している状態）であり、切替手段Ｑ２はオン、切替手段Ｑ１はオフに制御されている。つまり、常時においては、点灯回路１〜３、液晶パネルドライバ２３、液晶パネルドライバ２４、及び映像処理回路２２の電源電圧は、チョッパー回路４から供給されることになる。また、常時において、液晶パネル２０には外部からの映像信号に基づいた映像が表示されるが、停電を伴っていない状態で外部からの非常信号を受信した場合には、映像処理回路２２は非常信号受信部２５からの非常信号を受けて、表示映像を映像信号に基づいた表示から非常信号の内容に対応した表示に切り替えて、全画面に表示する。
【００５２】
次に、非常時における本液晶表示装置の動作について説明すると、停電検出手段５は、電解コンデンサＣ１の電圧が低下したことを検出することにより停電を検出し、切替手段Ｑ２をオフすると共に切替手段Ｑ１をオンする。つまり、非常時においては、チョッパー回路４から点灯回路１〜３、液晶パネルドライバ２３、２４、及び映像処理回路２２への電源供給ラインを切替手段Ｑ２をオフすることにより遮断し、代わって切替手段Ｑ１をオンすることにより非常用電源充電器６によって充電されていた非常用電源Ｖｄｃから放電灯Ｌａ３を点灯するための点灯回路３、液晶パネルドライバ２４、及び映像処理回路２２へ電源電圧が供給される。この時、ダイオードＤ１の作用により、非常用電源Ｖｄｃから点灯回路１、点灯回路２及び液晶パネルドライバ２３へは電源電圧は供給されない。
【００５３】
従って、停電検出手段５にて停電を検出した非常時においては、非常用電源Ｖｄｃからの電源供給を受けて、図３（Ａ）に示すバックライトのうち放電灯Ｌａ３のみが点灯する。また、本液晶表示装置の表示領域は図３（Ｂ）に示すように、全表示領域のうち、直下に放電灯Ｌａ３が配置され、さらに液晶パネルドライバ２４が駆動する液晶パネル２０の領域のみとなる。全表示領域のうち、直下に放電灯Ｌａ１、Ｌａ２がバックライトとして配置され、さらに液晶パネルドライバ２３が駆動する液晶パネル２０の領域は非表示領域となる。
【００５４】
さらに、本実施形態の液晶表示装置のシステムにおいては、停電検出手段５にて停電を検出した状態で、且つ非常信号受信部２５にて外部から非常信号を受信した場合は、映像処理回路２２が非常信号受信部２５からの非常信号を受けて、表示領域に、図９（Ａ）、（Ｂ）に示すような非常信号の内容に対応した情報を表示する。図９（Ａ）は地震発生時、図９（Ｂ）は火災発生時における表示内容の例を示している。
【００５５】
ここで、図９（Ａ）、（Ｂ）に示すような非常信号に応じた表示を行う際に、前記表示内容を人間が気づき易くするために、放電灯Ｌａ３が点灯回路３によって臨界フリッカ周波数の周期以上で点滅点灯されるように制御すると良い。臨界フリッカ周波数とは、人間が点滅を感知できなくなる限界の周波数のことである。具体的には点滅点灯の周期を３０（ｍｓ）以上の周期とすることが望ましい。また、図８には不図示であるが、例えば点灯回路３に入力される調光用のＰＷＭ信号の周期を前記臨界フリッカ周波数の周期以上に設定することで、点滅点灯は容易に実現できる。
【００５６】
以上のように、本実施形態の液晶表示装置は、常時においては商用電源ＡＣからの給電により機能し、非常時においては商用電源ＡＣから非常用電源Ｖｄｃへ切替えて給電を行い、さらに停電を検出し且つ外部からの非常信号を受信した状態においては、全表示画面のうち一部の表示領域に非常信号の情報に対応した表示を行うものであるから、非常時の混乱、不安を解消すると共に、停電の原因、避難経路など非常時の有益情報を提供することができる。また、非常時において、バックライトを臨界フリッカ周波数の周期以上で点滅点灯するので、前記非常信号の情報に対応した表示を人間が気づき易いという利点がある。
【００５７】
（実施形態５）
本実施形態の液晶表示装置のシステム構成図を図１０に示す。本実施形態の液晶表示装置は、停電を伴う非常時において、商用電源ラインに設けられた予備電源装置７ａからの電源供給によって動作する。予備電源装置７ａとは、具体的には無停電電源（ＵＰＳ電源）であり、無停電電源には交流のものと直流のものがあるが、本実施形態においては、直流のものを想定する。また、予備電源装置７ａは液晶表示装置の外部に設けられており、停電発生時に非常用電源として商用電源ＡＣに替わって液晶表示装置の入力電源になる。また、図１０における点灯回路１〜３、液晶パネルドライバ２３、２４、及び映像処理回路２２の機能については、実施形態２と同等であるので説明を割愛する。
【００５８】
次に本実施形態の液晶表示装置の動作について図１０を用いて説明する。本実施形態の液晶表示装置において、停電検出手段５ａは電源ラインに接続され、交流電圧と直流電圧を判別して停電を検出する。
【００５９】
ここで、商用電源ＡＣからの交流電圧を検出した状態は常時（停電なし）であり、予備電源装置７ａからの直流電圧を検出した状態が非常時（停電）である。停電検出手段５ａは常時においては、切替手段Ｑ２をオン、切替手段Ｑ１をオフに制御し、非常時においては、切替手段Ｑ２をオフ、切替手段Ｑ１をオンに制御すると共に映像処理回路２２に非常信号を入力する。常時においては、商用電源ＡＣを入力電源とし、前記制御によって、チョッパー回路４の出力電圧が切替手段Ｑ２を介して、点灯回路１〜３と、液晶パネルドライバ２３、２４と、映像処理回路２２に供給される。また、非常時においては、予備電源装置７ａを入力電源とし、前記停電検出手段５ａの制御により、チョッパー回路４の出力電圧が切替手段Ｑ１を介して、点灯回路３と、液晶パネルドライバ２４と、映像処理回路２２に供給される。ここで、ダイオードＤ１の作用により、点灯回路１，２と、液晶パネルドライバ２３には、チョッパー回路４からの出力電圧は供給されない。
【００６０】
つまり、本実施形態の液晶表示装置は、非常時においては、商用電源ＡＣに替わって予備電源装置７ａが入力電源となり、予備電源装置７ａに切替ったことを停電検出手段５ａにて検出し、またその検出信号を受けて、バックライトＢＬのうち放電灯Ｌａ３のみが点灯すると共に、液晶パネルドライバ２３、２４のうち液晶パネルドライバ２４のみが動作するように制御される。従って、本液晶表示装置の表示領域は全表示領域のうち、直下に放電灯Ｌａ３が配置され、さらに液晶パネルドライバ２４が駆動する液晶パネルの領域のみとなる。
【００６１】
次に、本実施形態の液晶表示装置の効果について述べると、予備電源装置を入力電源とする非常時において、液晶表示装置の全画面のうち、一部の領域のみが表示領域となるので、消費電力を削減でき、予備電源装置による表示装置の駆動時間を伸ばすことができる。
【００６２】
（実施形態６）
本実施形態の液晶表示装置のシステム構成図を図１１に示す。前記実施形態５の液晶表示装置における予備電源装置７ａは直流電源であったが、本実施形態の液晶表示装置においては予備電源装置７ｂは交流電源を想定したものである。しかしながら、予備電源装置７ｂが交流電源である場合、同じく交流電源である商用電源ＡＣとの判別がつかず、前記実施形態５に示すように電源ラインに接続された停電検出手段５ａにおいて停電を検出することができない。したがって、本実施形態の液晶表示装置においては、停電検出手段５ｂで予備電源装置７ｂからの動作状態を伝える信号を受けて停電を判定するものである。
【００６３】
次に、本実施形態の液晶表示装置の効果について説明すると、交流電源である予備電源装置７ｂを非常時の入力電源とした場合でも、予備電源装置７ｂからの信号を受けて、停電検出手段５ｂで停電を判別することができる。
【図面の簡単な説明】
【００６４】
【図１】本発明の実施形態１の液晶表示装置の回路構成を示すブロック回路図である。
【図２】本発明の実施形態１の液晶表示装置の構成を示す分解斜視図である。
【図３】本発明の実施形態１の動作説明図であり、（Ａ）は非常時におけるバックライト動作の説明図、（Ｂ）は非常時における表示領域の説明図、（Ｃ）と（Ｄ）は非常時における表示内容の例を示す説明図である。
【図４】本発明の実施形態２の液晶表示装置の回路構成を示すブロック回路図である。
【図５】本発明の実施形態３の液晶表示装置の構成を示す分解斜視図である。
【図６】本発明の実施形態３の液晶表示装置の回路構成を示すブロック回路図である。
【図７】本発明の実施形態３の動作説明図であり、（Ａ）は非常時におけるバックライト動作の説明図、（Ｂ）は非常時における表示領域の説明図である。
【図８】本発明の実施形態４の液晶表示装置の回路構成を示すブロック回路図である。
【図９】本発明の実施形態４の動作説明図であり、（Ａ）は地震発生時における表示領域の説明図、（Ｂ）は火災発生時における表示内容の例を示す説明図である。
【図１０】本発明の実施形態５の液晶表示装置の回路構成を示すブロック回路図である。
【図１１】本発明の実施形態６の液晶表示装置の回路構成を示すブロック回路図である。
【符号の説明】
【００６５】
１〜３          点灯回路
５              停電検出手段
ＡＣ            商用電源
Ｖｄｃ          非常用電源
Ｌａ１〜Ｌａ３  放電灯
Ｑ１，Ｑ２      切替手段
【図１】
2010117682.tif 000003
【図２】
2010117682.tif 000004
【図３】
2010117682.tif 000005
【図４】
2010117682.tif 000006
【図５】
2010117682.tif 000007
【図６】
2010117682.tif 000008
【図７】
2010117682.tif 000009
【図８】
2010117682.tif 000010
【図９】
2010117682.tif 000011
【図１０】
2010117682.tif 000012
【図１１】
2010117682.tif 000013